Podtech/llm-jp-corpus-v4-ja_patent huggingface dataset:
(57)【要約】      （修正有）【課題】三軸試験円筒の緊締作業の軽労働、迅速性を目的とする。【解決手段】円筒部１０を載荷ピストン軸受け下端部５と底盤１２に嵌合し、この嵌合面は、特に載荷ピストン軸受け下端部５と底盤１２に設けた封印体にて液圧蜜封を保たれる。尚、円筒１０の上部内径は下部内径よりやや大きめの寸法とし、円筒部１０の上端内径に載荷ピストン軸受け下端部５を、円筒部１０の下端内径に底盤１２を嵌合し、圧力負荷の際円筒内径差によって円筒１０は下方に押し下げられ底盤１２の段で止まり自動的に緊締される。円筒１０は門型フレーム２の柱の両内側に設けた昇降ネジ７昇降用ネジジャッキ３と結合し電動あるいは手動にて円筒１０を下降し載荷ピストン軸受け下端部５と底盤１２とを一体に係合する。【選択図】図１
0003119668.tif 000002
【実用新案登録請求の範囲】
【請求項１】
門型フレームの上部に荷重負荷装置、載荷ピストン軸受け、下部に底盤、その間に円筒を設置した構造で、円筒の上部内径は下部内径よりやや大きめの寸法とし、円筒部の上端内径に載荷ピストン軸受け下端部を、円筒部の下端内径に底盤を嵌合し、載荷ピストン軸受け下端部と底盤の嵌合部外円周には封印体を設け、圧力負荷の際円筒内径差によって円筒は下方に押し下げられ自動的に緊締される。
門型フレーム柱の両内側に昇降機能を設け、これと円筒を結合し電動あるいは手動にて円筒を載荷ピストン軸受け下端部と底盤とを一体に係合することを特徴とした三軸試験圧力円筒緊締装置。
【考案の詳細な説明】
【技術分野】
【０００１】本発明は土質材料の物理的性質を調べる際の三軸圧縮試験を対象にするもので、土質供試体に拘束圧力、鉛直圧縮力、間隙水圧を与えることができ、拘束圧力、鉛直圧縮力、間隙水圧を負荷した状態で土質供試体の応力、収縮量、変位量等を計側するもので、迅速、安全、軽作業、確実性を増すため従来のネジ、キーを使用せず円筒内径差を利用し自己緊定を行った三軸試験圧力円筒緊締装置に関する物である。
【背景技術】
【０００２】従来の三軸試験装置では、三軸試験室、載荷部、円筒分解部が分離されており、特に三軸試験室は載荷部から取り外し多数のネジ止め作業で円筒分解組み立てを行い技術と時間を要した。昨今の性能、能率向上を要求する時代に適合した装置の必要性がある。【０００３】
【特許物件】
実用新案登録第１２３１１７１号  三軸試験装置
考案者  西山道夫
【０００４】
【特許物件】
実用新案登録第１２３１２７６号  三軸室緊締装置
考案者  西山道夫
【考案の開示】
【考案が解決しようとする課題】
【０００５】本発明は密封容器である三軸試験圧力円筒緊締に関して、この三軸試験圧力室に土質供試体を設置，取り出しのために便利、迅速、且つ強固な三軸試験圧力円筒緊締装置を供給することが課題である。
【課題を解決するための手段】
【０００６】円筒の上部内径は下部内径よりやや大きめの寸法とし、円筒部の上端内径に載荷ピストン軸受け下端部を、円筒部の下端内径に底盤を嵌合し、門型フレーム柱の両内側に昇降機能を設け、これと円筒を結合し電動あるいは手動にて円筒を載荷ピストン軸受け下端部と底盤とを一体に係合した。特に円筒内径差を利用し自己緊締を行うことは緊締の確実性がある。
【考案の効果】
【０００７】円筒部の昇降機能による三軸試験圧力円筒緊締作業が安全、迅速で且つ軽作業になるため女性による操作も容易。【０００８】装置全体がコンパクトになるため設置場所面積が減少する。
【図面の簡単な説明】
【０００９】
【図１】図１の三軸試験圧力円筒緊締装置の断面図を参照して説明する。第１図において三軸試験圧力円筒は円筒部１０、載荷ピストン軸受け下端部５と底盤１２とからなり、円筒部１０と底盤１２は内部に設置する土質供試体９の出し入れのため着脱が自在でなければならない。前記土質供試体９は底盤１２の中央に設置され、その上部をロードセル８、載荷ピストン４、荷重負荷装置１に当接する。尚、載荷ピストン４は載荷ピストン軸受け下端部５と液圧を密封し、且つ、摺動自在に貫通して土質供試体９に圧縮荷重を加えるものである。この円筒部１０内には圧力水を封入する必要性もある。従って前記円筒部１０、載荷ピストン軸受け下端部５と底盤１２との着脱は強固にして且つ液圧蜜封であることが要求される。本考案においては、円筒部１０を載荷ピストン軸受け下端部５と底盤１２に嵌合し、この嵌合面は、特に載荷ピストン軸受け下端部５と底盤１２に設けた封印体にて液圧蜜封を保たれる。尚、円筒１０の上部内径は下部内径よりやや大きめの寸法とし、円筒部１０の上端内径に載荷ピストン軸受け下端部５を、円筒部１０の下端内径に底盤１２を嵌合し、圧力負荷の際円筒内径差によって円筒１０は下方に押し下げられ底盤１２の段で止まり自動的に緊締される。円筒１０は門型フレーム２の柱の両内側に設けた昇降ネジ７昇降用ネジジャッキ３と結合し電動あるいは手動にて円筒１０を下降し載荷ピストン軸受け下端部５と底盤１２とを一体に係合する。又、円筒１０を載荷ピストン軸受け下端部５と底盤１２から外すときは、前記昇降用ネジジャッキ３を逆転させ係合を解き分解を可能とする。その着脱操作は簡単であり、且つ係合は確実に行うことが出来る。
【符号の説明】
【００１０】  １    荷重負荷装置
２    門型フレーム
３    昇降用ネジジャッキ
４    載荷ピストン
５    載荷ピストン軸受け下端部
６    上部封印体
７    昇降ネジ
８    ロードセル
９    土質供試体
１０  円筒
１１  下部封印体
１２  底盤
【図１】
0003119668.tif 000003
【手続補正書】
【提出日】平成17年11月10日(2005.11.10)
【手続補正１】
【補正対象書類名】実用新案登録請求の範囲
【補正対象項目名】全文
【補正方法】変更
【補正の内容】
【実用新案登録請求の範囲】
【請求項１】
門型フレームの上部に荷重負荷装置、載荷ピストン軸受け、下部に底盤、その間に昇降機能を設けこれと円筒を結合し電動あるいは手動にて円筒を載荷ピストン軸受け下端部と底盤とを一体に係合する構造で、円筒の上部内径は下部内径よりやや大きめの寸法とし、円筒部の上端内径に載荷ピストン軸受け下端部を、円筒部の下端内径に底盤を嵌合し、載荷ピストン軸受け下端部と底盤の嵌合部外円周には封印体を設け、圧力負荷の際円筒内径差によって円筒は下方に押し下げられ門型フレームを反力として自動的に緊締されることを特徴とした三軸試験圧力円筒緊締装置。
(57)【要約】      （修正有）【課題】電子レンジで酒を燗すると、上部から暖まるためにトックリの首部分は非常に熱く、下部は比較的ぬるめに仕上がり、レンジからトックリを取り出す際には首部分が熱くて容易につかめないため、トックリの中央部から加熱し、全体を均一に暖めることにより取り出し時にトックリの首部分が容易につかめ、かつ、熱燗の出来具合は従来の湯せんによる酒燗に近い状態をつくること。【解決手段】調理用アルミ箔と同材料で製作されたカバーでトックリの上部３０％〜５０％を覆い、アルミ箔カバーを軽く握り、トックリと密着させた状態にて電子レンジに入れて酒を燗する。【選択図】図１
0003119664.tif 000002
【実用新案登録請求の範囲】
【請求項１】
酒トックリの上部から３０％〜５０％を覆う電子レンジ酒燗用のアルミ箔カバー。
【考案の詳細な説明】
【技術分野】
【０００１】本考案は電子レンジで酒を燗する際、トックリ内の酒温度の全体を均一化に関する。
【背景技術】
【０００２】アルミ箔が電子レンジの電子粒を反射する性質を利用し、トックリの中央部分から暖める。
【考案の開示】
【考案が解決しようとする課題】
【０００３】電子レンジにて酒を燗する際、トックリの上部が熱く下部は暖まり難いために全体を均等の適温に燗するのが困難である。また、トックリの首部分は熱くて取り出し時に注意を要する。
調理用のアルミ箔はトックリのカバーとしては深さがないために、トックリの先端部分の温度が若干下がるだけで全体の効果はほとんど得られない。
【課題を解決するための手段】
【０００４】トックリの上部から３０％〜５０％を覆おう円錐型のカバーをアルミ箔で製作する。電子レンジで酒を燗する際に、このアルミ箔カバーでトックリを覆い、カバーとトックリが密着するようにカバーを軽く握った後に電子レンジに入れる。
【考案の効果】
【０００５】本考案のアルミ箔カバーを使用して酒を燗すると、湯せんの酒燗と同様に全体がほぼ均一の温度に暖められ、かつ、レンジから取り出す際も首の部分が熱くなく容易に取り出せる。
【考案を実施するための最良の形態】
【０００６】アルミ箔にて、トックリの上部３０％〜５０％を覆う円錐型のカバーを作成する。
【図面の簡単な説明】
【０００７】
【図１】アルミ箔カバーとトックリの相関図。
【符号の説明】
【０００８】▲１▼  アルミ箔カバー
▲２▼  トックリ
▲３▼  アルミ箔カバーを軽く握り、この部分をトックリに密着させる。
【図１】
0003119664.tif 000003
【手続補正書】
【提出日】平成17年11月12日(2005.11.12)
【手続補正１】
【補正対象書類名】実用新案登録請求の範囲
【補正対象項目名】全文
【補正方法】変更
【補正の内容】
【実用新案登録請求の範囲】
【請求項１】
トックリの上部から３０％〜５０％を覆うよう円錐型のカバーをアルミ箔で製作した電子レンジ酒燗用のアルミ箔カバー。
(57)【要約】      （修正有）【課題】長尺野菜のポリ袋入機であるネギ、ウド、ゴボウ、ニラなどポリ袋入機の提供。【解決手段】立体で作動も楽に出来る構造で送風機４は蓋２の内部に取り付けてポリ袋多数枚本体に取付け、ペタル１５を踏むとポリ袋の入口が開き、送風機よりエアーを送ってポリ袋全体を広げることが出来る。供給口３より、野菜長尺物を落としてポリ袋に入れる事が出来、作業も自動的に出来ます。【選択図】図１
0003119667.tif 000002
【実用新案登録請求の範囲】
【請求項１】
ポリ袋（１８）の形状物を本体（１）のポリ袋取付軸に多数枚セットして  ペタル（１５）を足で踏むと上下運動をロット棒  （１２）をポリ袋入口開き作動枠（１０）の軸（９）に連結してポリ袋開き板（１１）が作動してポリ袋の入り口を開かせ送風機（４）よりエアーを送ってポリ袋全体を広げて上部供給口（３）より長尺野菜（ネギ）など落としてポリ袋に入れる事ができることを特徴とする長尺野菜のポリ袋入機。
【請求項２】
本体（１）の蓋（２）に供給口の後面に送風機（４）取付け上部より供給口を供給ガイド管（６）よりエアーを送るポリ袋を広げることが出来る。また、ポリ袋（１８）補充する時蓋（２）を蝶番（５）で開くことが出来る。取替作業も簡単に出来ることを特徴とする長尺野菜ポリ袋入機。
【考案の詳細な説明】
【技術分野】
【０００１】長尺野菜ポリ袋に入機（主な野菜、ネギ、ウド、ゴボウ、ニラ）ポリ袋に入れる作業に使用する装置に関するものである。
【背景技術】
【０００２】コンプレッサーのエアーを使ってポリ袋の入口を開かせてから入れる作業が大変な人件費がかかります。
【考案の開示】
【考案解決しようとする課題】
【０００３】ポリ袋を多数枚セット（袋の入口を切り取ってエアーを入れやすくするまた、取出すとき手軽に出来る取付穴に切れ目を入れる事を送風機を使ってポリ袋を広げる方法。
【課題を解決するための手段】
【０００４】ポリ袋に取付穴を２ヶ所あけて多数枚セット出来る様にする。ポリ袋の前面切り取ってエアーを入れやすくする入口を開く方法を供給口より直角に野菜を入れるようにする。また、取出しが手軽に出来ること。
【考案の効果】
【０００５】本考案によりネギ、ウドの袋入れ作業が従来より大変能率も上がり、作業も楽になりました。
【実施例】
【０００６】本体（１）にポリ袋（１８）を多数枚セットしてペタル（１５）を踏むと、ポリ袋入口を関板（１１）が作動してポリ袋の入口を開かせ上部より送風機（４）より供給口をつたってエアーを送ってポリ袋（１８）を全体広げて上部の供給口（３）より長尺野菜ネギなどを落としこんでポリ袋を下から取り出すことが出来る。また、ポリ袋を補充する時、蓋を蝶番であけて手軽に取替ができます。
【図面の簡単な説明】
【０００７】
【図１】  全体の斜視図
【図２】  正面図一部断面図
【図３】  側面図一部断面図
【図４】  平面図
【図５】  ポリ袋の形状及び取付図
【符号の説明】
【０００８】（１）    本体
（２）    蓋
（３）    供給口
（４）    送風機
（５）    蓋の蝶番
（６）    供給ガイド管
（７）    供給ガイド管受
（８）    受板
（９）    ポリ袋を開く作動軸
（１０）  ポリ袋開き作動枠
（１１）  ポリ袋開き板
（１２）  ペタル作動ロット棒
（１３）  ペタル軸受
（１４）  ペタル軸
（１５）  ペタル
（１６）  ウェート
（１７）  ポリ袋止軸
（１８）  ポリ袋（Ａ）切カキ（Ｂ）止穴（Ｃ）切込
（１９）  ポリ袋押えガイド軸
（２０）  ポリ袋押え板
（２１）  送風機スイッチ
【図１】
0003119667.tif 000003
【図２】
0003119667.tif 000004
【図３】
0003119667.tif 000005
【図４】
0003119667.tif 000006
【図５】
0003119667.tif 000007
【手続補正書】
【提出日】平成17年11月24日(2005.11.24)
【手続補正１】
【補正対象書類名】実用新案登録請求の範囲
【補正対象項目名】全文
【補正方法】変更
【補正の内容】
【実用新案登録請求の範囲】
【請求項１】
ポリ袋（１８）の形状物を本体（１）のポリ袋取付軸に多数枚セットしてペタル（１５）を足で踏むと上下運動をロット棒（１２）ポリ袋入口開き作動枠（１０）の軸（９）連結してポリ袋開き板（１１）が作動してポリ袋の入口を開かせ、送風機（４）よりエヤーを送ってポリ袋全体を広げ上部供給口（３）より長尺野菜など落としてポリ袋に入れる事ができることを特徴とする長尺野菜のポリ袋入機。
【請求項２】
本体（１）の蓋（２）の内部に送風機（４）を供給口よりエヤーを送り、ポリ袋を広げることが出来る様に組付て蝶番（５）を開閉できることで、ポリ袋取付また作動の調整を手軽に出来ることを特徴とする長尺野菜ポリ袋入れ機。
(57)【要約】      （修正有）【課題】地面の方に向かって曲げてある針が、虫の身体に触れ、這いあがってくることを阻止する虫除け具の提供。【解決手段】虫除け具（ア）は、柔軟性を必要とするが下部は少し固めの場合だと土中に差し込むときに都合がよい。中断部分を重点にして、下方に向けての曲げ針は斜め格子状の配列とする。針の先端の垂直の高さは、５ｍｍくらいから１０ｍｍくらいの二通りで交互な並びとする。故に針は、菱形の連続のような間隔になる。上段の一部の針のない部分（ウ）を持って虫除け具（ア）は株（茎）を巻くようにして、虫が中へ入らぬような具合に差し込む。このときは、やや逆円錐筒のような形状になる。【選択図】図３
0003119663.tif 000002
【実用新案登録請求の範囲】
【請求項１】
花や野菜などの幼苗の株元を食い切って枯らしてしもう虫を、地面から上がらせないようにするため、先端は斜め下向きでやゝ曲がった状態の針を、茎を巻くための帯地状面に取り付けたこの装具。
【考案の詳細な説明】
【技術分野】
【０００１】  夜半、虫が地中から出てきてせっかくと芽が出、少し伸びてきた花や野菜を２〜３日でその株元や茎を食い切り、枯らしてしもうので、この針状の装具で虫の皮膚が引っかかり刺さって、上へ登れぬようにし、この害を防ぐものです。
【背景技術】
【０００２】  薬剤散布や捕殺など。
【考案が解決しようとする課題】
【０００３】  花や野菜の軟らかい株元（茎）を噛み切る虫が、土の中から出てきても寄せつけないようにすること。
【課題を解決するための手段】
【０００４】  幼苗を守るため、この虫除け具（ア）を丁寧に株元の周りを囲むようにして、土の中へ２．０〜５．０ｃｍ位の深さに差し込む。
また、この虫除け具（ア）は、やゝ固めのビニ−ル板として充分に一重巻のできるようなある程度の長さとし、苗の草丈の半分位の幅が必要で曲がった下向きの針により、虫の上に登ることを防ぐ。
【考案を実施するための最良の形態】
【０００５】  虫除け具（ア）は、柔軟性を必要とするが下部は少し固めの場合だと土中に差し込むときに都合がよい。中段部分を重点にして、下方に向けての曲げ針は斜め格子状の配列とする。針の先端の垂直の高さは、５ｍｍ位から１０ｍｍ位の二通りで交互な並びとする。故に針は菱形の連続のような間隔になる。上段の一部の針のない部分（ウ）を持って虫除け具（ア）は株（茎）を巻くようにして、虫が中へ入らぬような具合いに差し込む。このときは、やゝ逆円錐筒のような形状になる。
【考案の効果】
【０００６】  土中に差し込んだとき上部の円周は大きくなるが、これは管理に於て根元がよく見えるし、若し虫が入っていれば捕殺することができる。
この虫除け具（ア）によって、花や野菜の幼苗の株元（茎）が守られて切られぬため、苗にも不安がなく成長もしてゆくので、奇麗に観賞も出来また増産にもつながってゆく効果があります。
【符号の説明】
ア−虫除け具
イ−針
ウ−つまむ部分（差し込む時）
エ−重ね合わせ部分
オ−差し込み部分
【図面の簡単な説明】
【図１】  正面図  虫除け具を広げた時の状態
【図２】  断面図  針の形状（横列）を表す
【図３】  拡大図  針の形態
【図１】
0003119663.tif 000003
【図２】
0003119663.tif 000004
【図３】
0003119663.tif 000005
【手続補正書】
【提出日】平成17年11月17日(2005.11.17)
【手続補正１】
【補正対象書類名】実用新案登録請求の範囲
【補正対象項目名】全文
【補正方法】変更
【補正の内容】
【実用新案登録請求の範囲】
【請求項１】
花や野菜などの幼苗の株元を食い切って枯らしてしまう虫を、地面から上がらせないようにするための虫除けの装具であって、先端はやや下向きで曲がった状態の針を、茎に巻きつけるように出来た帯地状の面に取り付けてなる、「虫除け具」。
(57)【要約】【課題】テープ転写式平面板表面除塵装置において、テープの巻数（外径）が変わる事により加圧力が変化する事で、除塵効果の低下やフィルムなどの薄い材料が巻き込まれるなどの不具合の解消。【解決手段】ゴムロールから直接加圧を行い、その加圧力を調整可能にする。この方式により、テープの外径や自重の変化に関わらず、安定した除塵を行うことができる。また、厚みの薄い材料も巻き込む事無く処理することができる。【選択図】図３
0003119665.tif 000002
【実用新案登録請求の範囲】
【請求項１】
テープ転写式平面板表面除塵装置におけるゴムロール直接加圧方式
本機構はテープ転写式クリーナーの加圧方式を変えることで、安定した除塵力を得ることができる。また、加圧力を調整する事でフィルム等の薄い材料でも、巻き込まずにクリーニングすることが可能となる。
【考案の詳細な説明】
【技術分野】
【０００１】テープ転写式平面板表面除塵装置の除塵効率を向上させることに関するものである。
【背景技術】
【０００２】テープ転写式とは材料表面のゴミをゴムロールで取り除き、ゴムロール表面に付着したゴミを粘着テープへ転写・保持する方法。（図１）
テープは汚れたら１周ずつカットする。（図２）
テープ転写式平面板表面除塵装置では、一般的に転写テープからゴムロールへ加圧している。【０００３】テープからの加圧の場合、テープの新品時と使用終了直前では、テープの外径・重量が大きく異なり、安定した加圧力を得ることができない。安定した加圧力がえられない場合、除塵効果も安定しないばかりか、材料によっては巻き込みなどの搬送不具合にも繋がる。【０００４】これらを解決する為にテープからの加圧ではなく、ゴムロールを直接加圧する方法を考案した。
図３はその概略図であり、これが装置手前と奥側に設置する。
下ゴムロールは固定で、上側ゴムロールを加圧するものである。
【考案の開示】
【考案が解決しようとする課題】
【０００５】テープの巻数（外径）が変わる事により加圧力が変化してしまい、除塵効果の低下やフィルムなどの薄い材料の巻き込みなどの不具合。
【課題を解決するための手段】
【０００６】本考案のゴムロールから直接加圧を行い、その加圧力を調整可能にする。
【考案の効果】
【０００７】テープの外径や自重の変化に関わらず、安定した除塵を行うことができる。
また、厚みの薄い材料も巻き込む事無く処理することができる。
【考案を実施するための最良の形態】
【０００７】テープ転写式平行板表面除塵装置内ゴムロールの軸受け（ベアリングケース）に金属バー（樹脂でも可）を取り付け、そのバーをエアーシリンダーにて加圧する。
加圧用エアーはレギュレーターにて圧力調整が可能とする。
これがゴムロール１本に対して前後２ヶ所に設置する。
【実施例】
【０００８】図３は、実施例の１つである。
上側のゴムロール▲２▼に金属バー［Ｂ］を固定する。これはゴムロールの前後同様に固定する。
上下ゴムロール間に圧縮スプリングユニットを取付ける事で、上側ゴムロールの自重をキャンセルすると同時に、一定の隙間を設ける。
金属バー［Ｂ］をロール加圧用エアーシリンダー［Ｃ］にて加圧することで、上下ゴムロールにて除塵を行う事ができる。この時、別に設ける加圧調整弁にて加圧力の調整が可能とする。
これにより、異なる材質・厚さを持つ、それぞれの除塵目的材料に合った最適な加圧力で、除塵する事が可能となる。
【産業上の利用可能性】
【０００９】図３では、下側ゴムロールが固定されているが、上下ゴムロールの同時加圧も可能である。
また、図３では上下各２本ずつの提案であるが、本数が増えた場合でも可能である。
【図面の簡単な説明】
【００１０】
【図１】テープ転写式平面板表面除塵装置の除塵方法説明図
【図２】転写テープのカット方法
【図３】ゴムロール加圧方法説明図
【符号の説明】
【００１１】▲１▼  上側転写用粘着テープ
▲２▼  上側ゴムロール
▲３▼  下側ゴムロール
▲４▼  下側転写用粘着テープ
▲５▼  ゴムロール加圧用エアーシリンダー
▲６▼  金属バー［Ｂ］固定用ネジ
【図１】
0003119665.tif 000003
【図２】
0003119665.tif 000004
【図３】
0003119665.tif 000005
【手続補正書】
【提出日】平成17年11月17日(2005.11.17)
【手続補正１】
【補正対象書類名】実用新案登録請求の範囲
【補正対象項目名】全文
【補正方法】変更
【補正の内容】
【実用新案登録請求の範囲】
【請求項１】
加圧方式を、ゴムロール軸受けに設ける加圧バーをエアーシリンダーにて直接加圧する方式に変えることで、テープ重量に左右されない安定した加圧力と除塵力を得られると共に、レギュレーターにより加圧調整を行い、薄い材料でも巻き込まずにクリーニングできるテープ転写式平面板表面除塵装置。
(57)【要約】      （修正有）【課題】シルバーの方が着るのに困難にならないようないつも１人で着たり脱いだり出来、又、老化を防止できるパジャマの提供。【解決手段】大きなボタン（２２ｍｍ）と鳩目のボタンホールを使用しボタンを掛けやすくしたアームホールをゆったりとり腕の上がりにくい方にも着脱しやすい親切設計で、袖口とズボンの裾口にひもを入れると長さの調節が出来るようになっているので洗面なども楽に出来るようになった。このパジャマは生産コストもかからず、従来の縫製仕様で簡単に出来る。【選択図】図２
0003119666.tif 000002
【実用新案登録請求の範囲】
【請求項１】
シルバーの方に一人で着たり脱いだりしやすく、指先が上手く動かない方、健康維持をしようとして指先を上手に使えて老化防止になる親切設計パジャマ。
【考案の詳細な説明】
【技術分野】
【０００１】指先が器用に動かなくなったり、腕が上がらずパジャマを着ることが難しくなった方に最適で常に老化防止を意識した新設設計パジャマ。
【背景技術】
【０００２】今までは元気な人、普通に生活できる人用パジャマは生産効率優先のパジャマかファッション優先のパジャマしかなかった。
【考案の開示】
【０００３】シルバーの方が着るのに困難にならないようないつも一人で着たり脱いだり出来き又老化を防止できる。
【考案が解決しようとする課題】
【０００４】本考案はシルバーの方がいつも自分自身でパジャマが着れるような親切デザインであって又老化を防ぐと言われている指先を常に動かすことが出来ることなどを含めどのようにすれば良いのかを考えた。
【考案の効果】
【０００５】シルバーの方は指先が上手く使えませんのでボタンを大きくし（大きい方が使いやすい２２ｍｍぐらい）、止め外しも簡単に出来るようにボタンホールを鳩目のボタンホールにした。又腕が上がりにくくなっているのでアームホールをゆったりとったデザインになっている。袖口とズボンの裾口にはボタンホールを開け、ひもやゴムを通して袖丈やズボン丈の長さの調節し使いやすいようになっている。
【考案の効果】
【０００６】小さいボタンを小さいボタンホールにはめるのは非常に難しいが大きなボタンを鳩目のボタンホールには簡単にボタンをはめることが出来る。シルバーの方は一人で着たり脱いだりするのは困難であるのでアームホールがゆったりとしたパジャマを求めているのでアームホールをゆったり取ることは最適である。顔を洗う時などは袖口を調節する機能があれば便利である。身体を案じるシルバーの方には最適である。
【考案を実施するための最良の形態】
【０００７】従来のパジャマは生産効率を優先させるデザインやファションを優先させるものがほとんどであったがこのパジャマはシルバーの方に対して優しく親切さを優先したデザインになっている。指先の不自由な方でも簡単に着たり脱いだりすることができる。
【実施例】
【０００８】シルバー層が増える中、常に一人で着たり脱いだりしやすいパジャマが大変望まれる
【産業上の利用可能性】
【０００９】生産においてはコストもかからず縫製仕様も難しくない大変便利で親切なパジャマである。
【図面の簡単な説明】
【００１０】
【図１】パジャマ全体図
【図２】前のボタンをはずした時の前身頃のボタン部分及びボタンホールの拡大図
【符号の説明】
【００１１】▲１▼  アームホール
▲２▼  鳩目ボタンホール
▲３▼  ボタン
▲４▼  袖口のヒモやゴムの通し穴
▲５▼  ズボン裾口のヒモやゴムの通し穴
【図１】
0003119666.tif 000003
【図２】
0003119666.tif 000004
【手続補正書】
【提出日】平成17年12月1日(2005.12.1)
【手続補正１】
【補正対象書類名】実用新案登録請求の範囲
【補正対象項目名】全文
【補正方法】変更
【補正の内容】
【実用新案登録請求の範囲】
【請求項１】
上着には大きなボタンを使用しボタンホールは鳩目のボタンホールの構造でボタンを留めやすくし又手が上がりにくい方のためにアームホールを大きくとり、袖口とズボンの裾口にはゴムを通して丈を調節できる通し穴をつけた構造で老化防止になる非常に着やすい親切設計パジャマ。
(57)【要約】      （修正有）【課題】古い着物や着物地の斬新的なリメイク法を提供すること。【解決手段】古い着物や着物地をはさみ等で切り、ミシン等で縫って繋いでいくことにより、一本の長い紐状のものを作り，その紐糸を編むことにより編物として再生させる。【選択図】図２
0003119670.tif 000002
【実用新案登録請求の範囲】
【請求項１】
古い着物、着なくなった着物のような着物地を紐状に切って縫うことで作成した紐糸及びその紐糸を毛糸等を編む時のように編み、新しい形にリサイクル・再生させた着物ニット
【考案の詳細な説明】
【技術分野】
【０００１】  本考案は、古い着物・着物地を主とした布を紐状に作り、その紐糸を編んで作った着物ニットに関するものである。
【背景技術】
【０００２】  古い着物をほどいて身頃、袖、おくみ、衿などの着物の布を得て、それをそのまま用いて洋服などにリメイクする方法はよく知られています。しかし、古い着物・着物地・布から紐糸を作り「編む」、ということは知られていない。
【考案の開示】
【考案が解決しようとす課題】
【０００３】  古い着物や着なくなった着物の斬新的なリメイク法を提供すること。
【課題を解決するための手段】
【０００４】  本考案は、古い着物や着なくなった着物をほどいて、（反物になっている状態のものはそのまま）布地を細く切って（例：３ｃｍ位）ミシン等で紐状・糸状に作り、編物として甦らせる。着物地・布帛を細長く切って編むことにより従来にはないものを作り出したり、タンス内に袖も通してもらえないで眠っている着物を編物に再生することにより、問題点を解決している。
【考案の効果】
【０００５】  上述の様に、本考案の着物地及び着物をほどいて紐状にした編物は、「編む」ことにより、見た目にも立体感・存在感を一層だして、着物地や布帛からデザイン・スタイルを広げることができる。着物の再利用だけではなく「編む」という行為によってより一層斬新となる。また、毛糸等とコラボレーションすることにより、所有している人にとっては人目を引くものとなる。
【考案を実施するための最良の形態】
【０００６】  着物地（布地）にすでになっている場合は、まず洗濯機で洗うかドライクリーニングにだす。乾いてから「手芸ばさみ」か「シームリッパー」で丁寧に糸をほどき、全部ほどいたらパーツごとにアイロンをかける。それから、編んでいくことを考慮し布地やデザインにより、好みの細さ（例：３ｃｍ位）に切る。そのまま編むと糸がほつれてくるので、端を中に入れてきれいに整えてミシン等で縫っていく。また、中表にして縫い、市販のクイックターンや針金で表側にひっくりかえす。これをほどいて得た着物の布の長さ分（着物のサイズにより長さがいろいろ）だけ長く紐状につくり、あとは編物を編むように好きなものを編む。
【実施例】
【０００７】  以下、添付図面に従って一実施例を説明する。図１の１ａは古い着物や着なくなった着物、１ｂは反物としてあるものである。１ａについては、洗濯機・手洗い・ドライクリーニング…で洗濯し、綺麗にする（２ａ）。濡れていれば乾かし（３ａ）、次にほどく（４ａ）。身頃、袖、おくみ、衿、掛け衿等に分け（４ａ）、アイロンをかける（５ａ）。
この作業をすることにより次の作業もスムーズにできる。【０００８】  図２に示した身頃などの布５ａ又は布地・反物１ｂを細長く（例：３ｃｍ位）、同じような幅で切っていく。切り方は縦、斜めと問わない。その切ったものをミシン等で縫う。糸は布に近い色、ミシン糸は６０番程度、ミシン針は９〜１１番位が良い。縫うところは、▲１▼のように糸がほつれないよう四つ折りにして縫い代を中に入れて縫う方法や、また▲２▼は表地を中にして裏地を出して縫い、市販のクイックターンや針金で突き当たりに引っ掛けて表側にひっくり返す方法がある。着物一着分（大きさによって様々の分量、長さになる）を全部、紐状に作る。後は普通に好みの編み方で編んだり好みのもの（セーター、小物ナド）を編む。【０００９】  本考案の一実施例は上述の如き構成からなるものであるから、着物地から一本の紐状のものを作り出し、編物として甦らせるのはリサイクルの面でも役立つだけではなく、デザイン上から見ても斬新なものとなる。
【図面の簡単な説明】
【００１０】
【図１】着物を洗濯し、乾かし、ほどき、アイロンをかけるまでの流れ図である。
【図２】着物地を切り、ミシン等で縫う方法図と編み方である。
【図１】
0003119670.tif 000003
【図２】
0003119670.tif 000004
【手続補正書】
【提出日】平成17年11月30日(2005.11.30)
【手続補正１】
【補正対象書類名】実用新案登録請求の範囲
【補正対象項目名】全文
【補正方法】変更
【補正の内容】
【実用新案登録請求の範囲】
【請求項１】
古い着物、着なくなった着物のような着物地を紐状に切って縫うことで作成した紐糸を毛糸等を編む時のように編み、新しい形にリサイクル・再生させた着物ニット。
(57)【要約】【課題】  十分な強度と改善された締め付け性を備えると共に格調の高い重厚な質感を容易に表現することができる洋装用ベルトを提供する。【解決手段】  身体の胴又は腰の回りに衣服の上から巻き付けられる帯状本体１と、そのように巻き付けられた帯状本体１を所要の環状に固定するための留め具２とからなる洋装用ベルトにおいて、前記帯状本体１が綴れ織りの織物から構成される。この洋装用ベルトは、従来の皮革類や織物等からなる洋装用ベルトとは異なり、十分な強度と改善された締め付け性を備えると共に格調の高い重厚な質感を容易に表現することが可能である。【選択図】  図１
0003119617.tif 000002
【実用新案登録請求の範囲】
【請求項１】
身体の胴又は腰の回りに衣服の上から巻き付けられる帯状本体と、そのように巻き付けられた帯状本体を所要の環状に固定するための留め具とからなる洋装用ベルトにおいて、前記帯状本体が綴れ織りの織物からなることを特徴とする洋装用ベルト。
【請求項２】
帯状本体の表裏面が同じ紋様を呈する請求項１に記載の洋装用ベルト。
【考案の詳細な説明】
【技術分野】
【０００１】
本考案は、衣服を身体上に締め付けると共に必要に応じてさらに衣服の飾りとするために、身体の胴又は腰の回りに衣服の上から巻き付けて使用する洋装用ベルトに関する。
【背景技術】
【０００２】
前記洋装用ベルトは、身体の胴又は腰の回りに衣服の上から巻き付けられる帯状本体と、そのように巻き付けられた帯状本体を所要の環状に固定するための留め具とから基本的に構成され、前記帯状本体の材料として天然皮革、人工皮革、ゴム系材料、織物等が広く採用されている。
【０００３】
それらの中でも織物からなる洋装用ベルトは、衣服に合わせて種々の紋様と趣のある質感等を自由に表現することが可能であり、例えば特許文献１には、ベルトの帯状本体を、その少なくとも表面側が紋織物で形成された二重織り組織で構成することが報告されている。
【０００４】
しかしながら、前記二重織り組織の織物からなる洋装用ベルトでは、比較的高い強度が得られるとしても、締め付け性に劣る上に格調の高い重厚な質感を十分表現することができない等の問題があった。
【特許文献１】実用新案登録第３０４０４００号公報
【考案の開示】
【考案が解決しようとする課題】
【０００５】
本考案の課題は、前記従来技術の問題点に鑑み、十分な強度と改善された締め付け性を備えると共に格調の高い重厚な質感を容易に表現することができる洋装用ベルトを提供することにある。
【課題を解決するための手段】
【０００６】
上記課題を解決するために本考案が採用する手段によれば、本考案に係る洋装用ベルトは、身体の胴又は腰の回りに衣服の上から巻き付けられる帯状本体と、そのように巻き付けられた帯状本体を所要の環状に固定するための留め具とからなる洋装用ベルトにおいて、前記帯状本体が綴れ織りの織物からなることを特徴としている。
【０００７】
前記構成において、綴れ織りは、テンションを掛けて張られた経糸に対して地組織を織る緯糸と紋様を織る緯糸を各々別々に織り進めるものであり、表裏が同じ紋様を呈するものも容易に織り出すことが可能あり、その技法から精緻で格調が高く、締め弛みが生じ難く、厚手で丈夫な織物が得られる。
【０００８】
前記綴れ織りの織物を構成する経糸並びに地組織織る緯糸及び紋様を織る緯糸の材質や形態等に特別の制限はない。また、特に手織り綴れや爪綴れの技法によれば、より高い組織密度の精緻な綴れ織りの織物が得られる。
【０００９】
また、前記留め具として、例えば種々の形状、構造のバックルを適宜使用することができる。
【考案の効果】
【００１０】
本考案は以上のように構成され、帯状本体として精緻で格調が高く、締め弛みが生じ難く、厚手で丈夫な綴れ織りの織物が使用されるので、従来の皮革類や織物等からなる洋装用ベルトとは異なり、十分な強度と改善された締め付け性を備えると共に格調の高い重厚な質感を容易に表現することができる洋装用ベルトが得られる。
【００１１】
また、前記洋装用ベルトにおいて帯状本体の表裏面が同じ紋様を呈するものは、表裏両面を適宜使用することができる。
【考案を実施するための最良の形態】
【００１２】
図１は、本考案の一実施例に係る洋装用ベルトの平面図である。
同図において、洋装用ベルトは、身体の胴又は腰の回りに衣服の上から巻き付けられ、表裏面が同じ紋様を呈する綴れ織りの織物からなる帯状本体１と、そのように巻き付けられた帯状本体１を所要の環状に固定するためのバックルからなる留め具２とから構成されている。
【図面の簡単な説明】
【００１３】
【図１】本考案の一実施例に係る洋装用ベルトの平面図である。
【符号の説明】
【００１４】
１  帯状本体
２  留め具
【図１】
0003119617.tif 000003
(57)【要約】      （修正有）【課題】永久磁石機能を利用して、鉛筆、消しゴムなどを一体保存できる定規を提供する。【解決手段】鉛筆や消しゴムなどが磁石で定規と着くようになっており、線引き作業が終了しても、定規、鉛筆、消しゴムなどが一体として仕舞っておけ、次に線引き作業をするときに便利である。定規の材質は問わず、鋼、軽金属、竹、プラスチックなど通常の材質でよい。定規の材質が、軽金属、竹、プラスチックなどの場合は、定規に永久磁石機能が有る金属板などが張られている。定規の材質が鋼の場合は定規そのものを永久磁石化する。鉛筆、消しゴムなどには磁石に着く金属が付いていて、この金属の形状は板状でも管状でも良く、鉛筆や消しゴムが定規にしっかりと付着できる物であれば何でも良い。【選択図】図１
0003119697.tif 000002
【実用新案登録請求の範囲】
【請求項１】
定規を使用した線引き作業の改善を図るための製図道具であって、定規に鉛筆、消しゴムなどを磁石で付くようにし、線引き時には、定規と鉛筆を分離して使い、線を消すときには、消しゴムをはずして使い、線引き作業終了時には、これらを磁石で付着させ一体として片付けておけることを特徴とする鉛筆付き定規。
【考案の詳細な説明】
【技術分野】
【０００１】  本考案は、永久磁石機能を利用して、鉛筆、消しゴムなどを一体保存できる定規に関するものである。
【背景技術】
【０００２】  工作用製図作業などに使用する、定規、鉛筆、消しゴムなどは、個別に存在していた。
【考案の開示】
【考案が解決しようとする課題】
【０００３】  工作作業用製図などのときに、定規、鉛筆、消しゴムなどが個々に存在していたので、作業開始時には、これらをそれぞれの保管場所から個々に用意していた。また、作業中には鉛筆、消しゴムなどを見失うと、探すのに無駄な時間をかけていた。従って、定規、鉛筆、消しゴムなどを一体化することで、前述の欠点を解決しようとするものである。
【課題を解決するための手段】
【０００４】  本考案は、定規には永久磁石板を、鉛筆、消しゴムなどには磁石に付く金属を付け、定規、鉛筆、消しゴムなどを、永久磁石力で一体保存できるようにしている。
【考案の効果】
【０００５】  工作用製図などでの線引き作業において、作業開始時には、定規、鉛筆、消しゴムなどを個別に用意し、作業中には、鉛筆や消しゴムなどが見つからずに探し回ったりする無駄な時間が無くなる。また、定規に永久磁石が付いていると、磁石に反応する釘や螺子を定規に付着させておくことができ、釘打ち、螺子付け作業において、釘や螺子の散乱が起こらず作業効率が高まる。
【考案を実施するための最良の形態】
【０００６】  定規の材質は問わず、鋼、軽金属、竹、プラスチックなど通常の材質でよい。定規の材質が軽金属、竹、プラスチックなどの場合は、定規に永久磁石機能が有る金属板などが張られている。この金属板などは、定規と金属板の膨張率の違いから起こる定規の歪みを防止するために半固定で張られている。定規の材質が鋼の場合は定規そのものを永久磁石化する。鉛筆、消しゴムなどには磁石に着く金属が付いていて、この金属の形状は板状でも管状でも良く、鉛筆や消しゴムが定規にしっかりと付着できる物であれば何でも良い。
【実施例】
【０００７】  以下、添付図面に従って一実施例を説明する。図は定規の材質が軽金属、竹、プラスチックなどの場合である。図は定規、鉛筆、消しゴムが磁石で一体化された状態である。１は定規、２は定規に付けられた永久磁石板で、一端が螺子などで固定されており、横端は定規の溝に収まっていている。３は鉛筆、４は鉛筆に付けられた円筒状の金属管である。５は消しゴム、６は消しゴムに付けられた角状の金属管である。
【図面の簡単な説明】
【０００８】
【図１】  本考案の鉛筆付き定規の一実施例を示す図面である。
【符号の説明】
【０００９】  １．定規
２．定規に貼り付けられた永久磁石板
３．鉛筆
４．鉛筆用金属管
５．消しゴム
６．消しゴム用金属管
【図１】
0003119697.tif 000003
(57)【要約】【課題】本考案は耳長犬の耳蒸れによる炎症、耳垢の増加、悪臭等のトラブルが発生している為、耳穴の風通しを良くし、耳を後方に持ち上げる事ができるバンドを作成する。【解決手段】本考案は布バイアステープ、布リボンテープで筒を作り平ゴムを通し、伸縮できる一本にバンド１を作る。両端に耳を通す輪２を作り、輪の先端３はバンドを巻き止める。巻き止めたことで自由に輪の大きさが調節でき、着脱も素早くでき、犬にやさしく耳を後方に持ち上げられ耳穴の風通しがよくなり、耳蒸れによるトラブルの防止に役立つ。【選択図】図１
0003119691.tif 000002
【実用新案登録請求の範囲】
【請求項１】
本考案は犬にもやさしく、装飾性も兼ね備えた耳止めバンドを、布バイアステープ、布リボンテープで筒を作り、その中に平ゴムを通して伸縮できる一本のバンドを作成したもの、又はゴムでシャーリングしたリボンテープの、バンドの両端に耳を通す輪を作り、輪の先端はバンドを巻き止めることで自由に輪の大きさが調節でき、犬種、耳の大きさに関らず耳を輪の中に通す時の着脱も素早くでき、痛みなく耳を後方に持ち上げることができ、耳穴の風通しをよくし、耳蒸れによる炎症、耳垢の増加、悪臭等のトラブルを防止できる耳長犬用耳止めバンド。
【考案の詳細な説明】
【技術分野】
【０００１】  本考案は、耳長犬の両耳を後方に持ち上げ、耳穴の風通しを良くする耳長犬用耳止めバンドに関するものである。
【背景技術】
【０００２】  耳長犬の耳蒸れによる炎症、耳垢の増加、悪臭で困り、洗濯バサミ、ヘアーゴム、ひもで耳を止めたが、洗濯バサミは痛みがあり、丸ゴムで作られたヘアーゴムでは細すぎて痛みがあり血行不良を起こし、ひもはすぐにずれ落ち、両耳をやさしくしっかりと持ち上げ続ける事ができなかった。【０００３】  近年、犬用耳止めに関するものには、登録実用新案公報「実用新案登録第３０９７９８６号」公開特許公報「特開２００２−８４９１４」に記載されている。
【考案の開示】
【考案が解決しようとする課題】
【０００４】  洗濯バサミ、ヘアーゴム、ひもでは、痛みや血行不良、ずれ落ちがあり犬に大きな負担があった。従って、耳長犬の両耳への着脱が素早く出来、装飾性もあり、痛みや血行不良、ずれ落ちもなく耳を後方に持ち上げ、耳穴の風通しを良くする耳止めバンドを作成し、耳蒸れによる炎症、耳垢の増加、悪臭という問題を解決しようとするものである。
【課題を解決するための手段】
【０００５】本考案は犬にもやさしく、装飾性も兼ね備えた耳止めバンドを、布バイアステープ、布リボンテープで筒を作り、その中に平ゴムを通して伸縮できる一本のバンドを作成し、バンドの両端に耳を通す輪を作り、輪の先端はバンドを巻き止めることで自由に輪の大きさが調節でき、犬種、耳の大きさに関らず耳を輪の中に通す時の着脱も素早くでき、痛みなく耳を後方に持ち上げることで、問題点を解決している。【０００６】  上述のバンド部分にゴムでシャーリングしたリボンテープを使って作成することにより、装飾性をより豊かにすることができる。
【考案の効果】
【０００７】  上述の様に本考案の耳止めバンドは、輪の先端を巻き止めたことで、犬種、耳の大きさに関らず、自由に輪の調節ができ、着脱も素早くでき、犬にもやさしく耳を後方に持ち上げられることによって耳穴の風通しがよくなり、耳蒸れによる炎症、耳垢の増加、悪臭の防止として役立つ。
【考案を実施するための最良の形態】
【０００８】  平ゴムを、犬の皮膚にやさしく、着けた時に見栄えもよく装飾性も兼ね備えたバンドにする為、布バイアステープ、布リボンテープで筒を作り、平ゴムを通し伸縮できる一本のバンドを作成する。両端に耳を通す輪を作り、輪の先端はバンドを巻き止めることで自由に輪の大きさが調節でき、やさしく耳を後方に持ち上げることができる。
【実施例】
【０００９】  本考案の実施の形態として一実施例を図１に基づいて説明する。１は輪と輪をつないでいる部分、２は耳を通す輪の部分、３は輪の先端でバンドを巻き止めた部分、巻き止めたことで自由に輪の大きさが調節でき、着脱も素早くでき、ずれ落ちない。
【図面の簡単な説明】
【００１０】
【図１】  本考案を真上から見た図である。
【図２】  本考案を耳長犬に使用した場合の横からみた図である。
【図３】  本考案を耳長犬に使用した場合の後方からみた図である。
【図４】  布バイアステープを半分に折り筒状に縫った平面図である。
【図５】  布リボンテープに平ゴムを通す為に裏布をつけた裏側の平面図である。
【図６】  ゴムでシャーリングしたリボンテープの裏側の平面図である。
【符号の説明】
【００１１】  １  バンド部分
２  耳を通す輪
３  調節できるように巻き止めた先端部分
４  普段垂れ下がっている耳
５  後方に持ち上がった耳
６  布バイアステープ
７  縫い目
８  布リボンテープ
９  裏布
１０  シャーリングしたリボンテープの裏側
【図１】
0003119691.tif 000003
【図２】
0003119691.tif 000004
【図３】
0003119691.tif 000005
【図４】
0003119691.tif 000006
【図５】
0003119691.tif 000007
【図６】
0003119691.tif 000008
(57)【要約】      （修正有）【課題】トイレットペーパーを、トイレ以外の用途に使用する場合、そのままではトイレを連想してしまう上、トイレ以外の場所に置くと違和感があり、見た目も良くない。これらの問題解消を目的とする、ロールティッシュケースを提供する。【解決手段】円筒形を横にした形で、トイレットペーパー２を、中心を貫通する棒１で支え、曲面前部にカッティング用の歯を付けたトイレットペーパー引き出し口３を設ける。本体上半分は蓋として、前面で開閉し、後部に蓋止め具を付ける。本体は回転しないように４カ所の足で固定する。【選択図】図１
0003119693.tif 000002
【実用新案登録請求の範囲】
【請求項１】
トイレットペーパーを入れるケースで、円筒形を横にした形。
本体両サイド内側にトイレットペーパーの中心を通す棒受け部を設け、曲面前部に、カッティング用の歯を付けたトイレットペーパー引き出し口を設ける。本体上半分は前面で開閉する蓋として使用する為、曲面後部に支点となる蓋止め具を付ける。円筒形の本体は回転しないように４ヶ所の足で固定する。以上の特徴を持つ、ロールティッシュケース。
【考案の詳細な説明】
【技術分野】
【０００１】  本考案は、トイレットペーパーを、トイレ以外の用途で使用する為のロールティッシュケースに関する。
【背景技術】
【０００２】  従来、トイレットペーパーを、トイレ以外の用途に使用する為の専用ケースはなかった。
【考案の開示】
【考案が解決しようとする課題】
【０００３】  トイレットペーパーを、トイレ以外の用途に使用する場合そのままではトイレを連想してしまう上、トイレ以外の場所に置くと違和感があり、見た目も良くない。
【課題を解決するための手段】
【０００４】  そこで、トイレットペーパーを入れて、必要な長さに切って使えるように、円筒形のロールティッシュケースを考案した（図１）。
【考案の効果】
【０００５】  よって、本考案のロールティッシュケースにより、トイレットペーパーをトイレ以外の用途で使用するのに、見た目も良く、違和感がなく、必要な長さだけ引き出して使えるのである。
【考案を実施するための最良の形態】
【０００６】  本考案に係るロールティッシュケースは、図１に示すように、円筒形を横にした形で、トイレットペーパーを、中心を貫通する棒で支え、曲面前部にカッティング用の歯を付けたトイレットペーパー引き出し口を設ける。本体上半分は蓋として、前面で開閉し、後部に蓋止め具を付ける。本体は回転しないように４ヶ所の足で固定する。
【図面の簡単な説明】
【０００７】
【図１】  本考案に係るロールティッシュケースに、トイレットペーパーを入れた図である。
【図２】  本考案に係るロールティッシュケースの蓋を開いた時の図である。
【符号の説明】
【０００８】  １    トイレットペーパー支え棒
２    トイレットペーパー
３    トイレットペーパー引き出し口
【図１】
0003119693.tif 000003
【図２】
0003119693.tif 000004
(57)【要約】      （修正有）【課題】鉄製品のもつ耐熱・蓄熱機能を利用して、「むし焼き」調理が家庭でも簡単にできるようにとするものであり、あわせて器具（鍋）は他の調理にもいろいろと使用できるようにもなっている多機能調理鍋の提供。【解決手段】耐熱・蓄熱機能の高い鉄鋳物又は厚手の容器（鍋）の中に、専用金網を設置して、「むし焼き」調理が簡単にできるようにした。器具（鍋）は他の煮炊き・炊飯・揚げ物・蒸し物・炒め物調理にも効果的な形態とした。【選択図】なし【実用新案登録請求の範囲】
【請求項１】
一般家庭でも簡単に「むし焼き」調理ができて、他の煮炊き・炊飯・揚げ物・炒め物・蒸し物調理にも利用できる複合型の鉄製調理鍋。
【考案の詳細な説明】
【技術分野】
【０００１】  本考案は、鉄製品のもつ耐熱・蓄熱機能を利用して家庭でも簡単に「むし焼き」調理ができて、あわせて他の調理にも幅広く使用できる調理器具に係わる考案である。
【背景技術】
【０００２】  「むし焼き」調理とは、器に食材を入れ密封して焼く方法で、熱効率がよく・栄養分をのがさず・味もよい優れた調理法。料理店などではよく利用されているが、簡易な専用器具もないため、一般の家庭料理にまでには広く普及していない。【０００３】  従来からの調理用鍋は、それぞれ煮炊き・炊飯・揚げ物・炒め物・焼き物・蒸し物などの調理法に合わせて、それぞれの製品ができている。
【考案が解決しようとする課題】
【０００４】  本考案は、「むし焼き」が簡単にできる器具を開発して、家庭料理にもむし焼き調理を広め、あわせて器具は他の調理にも使用できる複合型のものとする。
【課題を解決するための手段】
【０００５】  上記目的を達成するために、本考案においては素材を鉄鋳物又は厚手の鉄板として耐熱・蓄熱機能を高めた。
【０００６】  中段の位置に専用金網がセットされるようにして、むし焼き・蒸し物調理ができるようにした。
【考案の効果】
【０００７】  「むし焼き」調理が家庭でも簡単にできるようになる。
【０００８】  一台で多機能調理ができるため、台所の省スペースに貢献できる。
【０００９】  蓄熱機能が高いため、むらし効果・徐冷効果で、少量調理でも本格的な味付けの料理ができる。
【考案を実施するための最良の形態】
【００１０】  鍋内に（液体・気体とも）対流をスムーズに起こすため、鍋の形は深さをやや深めにして、壁の部分は浅い傾斜をつけた。保温機能を高めるため、注ぎ口はできるだけ小さくした。鉄製品のもつ蓄熱機能との相乗効果で、それぞれの煮炊き・炊飯・揚げ物・炒め物・焼き物・蒸し物調理で高い能力が発揮される。
【実施例】
【００１１】  本考案の実施例について、図面を参照にして説明する。図１ａは本体の平面図（フタなし）、図１ｂは本体の断面図（フタ使用時）である。煮炊き・炊飯・揚げ物・炒め物調理にはこの状態で使用する。【００１２】  図２ａは専用金網を設置した時の平面図（フタなし）、図２ｂは専用金網を設置した時の断面図（フタ使用時）である。むし焼き・蒸し物調理にはこの状態で使用する。【００１３】  図３ａは専用金網の平面図、図３ｂは専用金網の立面図である。裏表２種類の高さで使用できるようになっている。
【図面の簡単な説明】
【００１４】
【図１】ａ  本考案の鍋本体の平面図である（フタなし）。ｂ  鍋本体の断面図である（フタ使用時）。
【図２】ａ  専用金網を設置した時の平面図である（フタなし）。ｂ  専用金網を設置した時の断面図である（フタ使用時）。
【図３】ａ  専用金網の平面図である。ｂ  専用金網の立面図である。
【符号の説明】
【００１５】１  注ぎ口
２  取っ手
３  フタ
４  専用金網
５  支柱
【図１】
0003119651.tif 000002
【図２】
0003119651.tif 000003
【図３】
0003119651.tif 000004
【手続補正書】
【提出日】平成17年9月26日(2005.9.26)
【手続補正１】
【補正対象書類名】実用新案登録請求の範囲
【補正対象項目名】全文
【補正方法】変更
【補正の内容】
【実用新案登録請求の範囲】
【請求項１】
容器内に焼き網を設置して、一般家庭でも簡単に「むし焼き」調理ができる様にした鉄製の調理鍋と専用金網。鍋本体の形も煮炊き・炊飯・揚げ物・炒め物調理ができて、専用金網を使用して蒸し物調理もできる多機能型とした。
【手続補正書】
【提出日】平成17年11月24日(2005.11.24)
【手続補正１】
【補正対象書類名】実用新案登録請求の範囲
【補正対象項目名】全文
【補正方法】変更
【補正の内容】
【実用新案登録請求の範囲】
【請求項１】
容器内に焼き網を設置して、一般家庭でも簡単に「むし焼き」調理ができる様にした鉄製の調理鍋と専用金網からなるセット。